(57)【要約】【課題】  １辺が開口部となった包布類を自動的に展開し、次工程に投入するための装置として、包布類の前処理の必要をなくする。【解決手段】  左右方向のレール２０に沿って移動可能な少なくとも１対の展開クランプ２１、２２を有し、開口部１９が縦となるように包布類１１を横向きにするか、或いは開口部１９が下となるように包布類１１を下向きにして、レール方向の両端を展開クランプ２１、２２に着脱可能に保持させ、展開クランプ２１、２２をレール２０に沿って移動させることにより包布類１１をレール方向に展開可能とし、包布類１１を挟んで、前部に押さえ部材３６を配置する一方、後部には可動板３７を前進後退可能に設け、可動板３７の前進により包布類上部を押さえ部材３６に押し付け、固定している間に、包布類１１の開口部１９を振ってずれや皺を修正し、可動板３７の後退により修正済み包布類１１を包布類上端からコンベア上に誘導する。【選択図】          図５
2005058414.tif 000002
【特許請求の範囲】
【請求項１】
主として１辺が開口部となった包布類を自動的に展開し、次工程へ投入するための装置であって、左右方向のレールに沿って移動可能な少なくとも１対の展開クランプを有し、開口部が縦となるように包布類を横向きにするか、或いは開口部が下となるように包布類を下向きにして、レール方向の両端を展開クランプに着脱可能に保持させ、展開クランプをレールに沿って移動させることにより包布類をレール方向に展開可能とし、包布類を挟んで、前部に包布類上部を固定する押さえ部材を配置する、一方、後部には包布類を受け取る可動板を前進後退可能に設け、可動板の前進により包布類上部を押さえ部材に押し付
け、固定している間に、包布類の開口部を振ってずれや皺を修正し、可動板の後退により修正済み包布類を包布類上端からコンベア上へ誘導するように構成された包布類の投入装置。
【請求項２】
押さえ部材は、装置側の支柱下部に固定されており、可動板は装置側の往復動部に取り付けられていて前進後退可能に設けられており、装置側の支柱にはエアノズルが設けられ、包布類先端部にエアを噴射し、可動板への移行を容易にしている請求項１記載の包布類の投入装置。
【発明の詳細な説明】
【技術分野】
【０００１】
本発明は、主として１辺が開口部となった包布類を自動的に展開し、次工程へ投入するための装置に関するものである。
【背景技術】
【０００２】
例えば掛けぶとんをカバーするふとんカバーの内、或る種のものは、掛けぶとんの縁のみを覆うようになる上面の外形から額縁状包布と呼ばれ、またふとん全体をすっぽり包むように封筒状になったものは全包布と呼ばれる。額縁状包布の修整は比較的容易である
が、全包布は、洗濯、脱水後、十分に形を整えないでロールアイロナーに投入すると、表面と裏面でずれたり、或いは全面に皺ができるため仕上がり品質が良くないという問題がある。
【０００３】
このため従来は、全包布の表面と裏面のひっついて２重にかさなった箇所を引き剥がすとともに、表裏のずれをなくし、かつ皺を取り除いてから投入する必要があった。このような修整作業は、従来の自動投入機を用いても手間のかかるものであり、上記皺を取り除くまでの前処理に２名、さらに投入機への取り付けに３〜４名、計５〜６名の人員を必要とし、効率を低下させる原因となっていた。
【０００４】
【特許文献１】特願２００２−２４９６３１明細書
【発明の開示】
【発明が解決しようとする課題】
【０００５】
本発明は前記の点に着目してなされたもので、その課題は、前処理の必要をなくすことである。また本発明の他の課題は、投入時に、より少ない人数で、効率良く作業することが可能な包布類の投入装置を提供することである。
【課題を解決するための手段】
【０００６】
前記の課題を解決するため本発明は、左右方向のレールに沿って移動可能な少なくとも１対の展開クランプを有し、開口部が縦となるように包布類を横向きにするか、或いは開口部が下となるように包布類を下向きにして、レール方向の両端を展開クランプに着脱可能に保持させ、展開クランプをレールに沿って移動させることにより包布類をレール方向に展開可能とし、包布類を挟んで、前部に包布類上部を固定する押さえ部材を配置する、一方、後部には包布類を受け取る可動板を前進後退可能に設け、可動板の前進により包布類上部を押さえ部材に押し付け、固定している間に、横向きになっている包布類の縦の開口部を振ってずれや皺を修正し、可動板の後退により修正済み包布類を包布類上端からコンベア上へ誘導するという手段を講じたものである。
【０００７】
本発明の包布類の投入装置は、１辺が開口部となった包布類、特に全包布を展開し、次工程へ投入するのに適したものである。この包布類は、４辺形状の平面形を持ち、その１辺が開口部となった、所謂封筒状又は袋状の構造を有している（図５及び図６（ｂ）を参照）。
【０００８】
本発明の装置は、装置の投入側において左右方向のレールと、そのレールに沿って移動可能な少なくとも１対の展開クランプを必要とする。１対の展開クランプの一方は包布類の一端を保持し、クランプの他方は包布類の他の一端を保持し、両クランプが離れることで包布類が自動的に展開可能となる。
【０００９】
包布類の保持は、着脱可能な保持とし、後工程において包布類をコンベア上へ誘導する（投入する）ことが自動で行われるように企図されている。包布類は、開口部が縦になるように横向きにするか、或いは開口部が下になるように下向きにする。包布類を横向きにして、レール方向の両端に位置する箇所を展開クランプに保持させると、その開口部は縦になり、装置左又は右を向くことになり、開口部を開いて包布類を捌くような作業を容易に行えるようになる。しかし下向きにしたときには、包布類が左右対称になること及び空気が抜けやすいこともあって、品質は最も良好となる。
【００１０】
さらに、包布類が展開クランプにより展開状態となっているときに、包布類の上部を固定する手段が設けられる。この固定手段は、表面に裏面がひっついていたり、ずれていたり、皺がよったりしている包布類を修整する際に、包布類の上部をしっかり保持しておくもので、これにより修整作業をしても包布類が落下するおそれがなくなり、かつ包布類の形態を維持することにもなる。
【００１１】
当該固定手段として、包布類を前後から挟むように設けられる、押さえ部材と可動板とがレール方向の全長に亘って用意される。押さえ部材は包布類の前側に設けられていれば良いが、可動板は押さえ部材に対して前進後退可能に設けられる。可動板の前進は、押さえ部材との間で包布類を挟みしっかり保持することを意味するが、後退は、押さえ部材との間にて包布類を挟むことからの解除というに留まらず、後退により包布類を上端部（先端部）からコンベア上へ誘導するという意義を持つ。
【００１２】
作業上の利点に着目すると、包布類を横向きにして展開クランプに取り付け、かつその移動により展開させることが一つの特徴となる。即ち開口部が縦になるので、作業者がすぐに開口部を拡げる作業に入ることができ、上向きや下向きでは困難な作業も容易に行うことができるからである。しかし品質に着目すると包布類を下向きにすることが最良の結果となる。なお、展開クランプが移動するときに、開口部が先になって移動するようにすれば、移動速度で空気が開口部内に入り易くすることもできる。また、展開した包布類の中に空気を入れるために、エアノズルを近くに配置しておくのも有効である。
【発明の効果】
【００１３】
本発明は以上の如く構成されかつ作用するものであるから、包布類をアイロナーなどへ供給するに当たり、包布類に生じている不整な状態を直す前処理の必要がなくなり、より少ない人数で効率の良い投入作業が可能となる包布類の投入装置を提供することができるという効果を奏する。
【発明を実施するための最良の形態】
【００１４】
以下図面を参照して本発明をより詳細に説明する。図１は本発明に係る包布類の投入装置１０を示しており、この投入装置１０は、高い投入位置まで、包布類１１としての全包布を運ぶ左右各１対の導入クランプ装置１２を有している。
【００１５】
導入クランプ装置１２は、導入作業の容易性のために低い導入位置に配置され、そこで包布類１１を取り付けられる１対の導入クランプ１３、１４と、この導入クランプ１３、１４を低い導入位置から高い投入位置方向へ運び上げる移行コンベア１５、１６とを有している。例示の導入クランプ１３、１４は、受板１７とそれに対して付勢された押板１８とを有し、押板１８の一部を押して受板１７との間を開き、そこに包布類１１の先端部を挟持させるもので（図２）、移行コンベア１３、１４の上端側において、展開クランプ２１、２２への包布類１１の授受が行われる。２０は本体左右方向に設けられたレールであり、展開クランプ２１、２２の移動経路でもある。
【００１６】
展開クランプ２１，２２は、導入クランプ１３，１４が運んでくる包布類１１の先端部を挟持するもので一対から成るが、両者対称の構成を有することが望ましい。その具体的な構造は、図７に詳細に例示されており、枠部２３への包布類先端の挿入方向と平行な軸２４により回転可能に軸支された保持子２５を有し、保持子２５は枠部２３の保持面２６に当接可能である。枠部２３には、上部に突出し、支軸２７によって前後方向へ回転可能な操作部２８が設けられており、先端の可動軸部２９にてリンク部材３０の上端に軸支されている。リンク部材３０は下端にて可動軸部３１に球継手３２により軸支されており、操作部２８の押し下げによって保持子２５を保持面２６から離す方向へ操作することができる。
【００１７】
保持子２５に付勢手段３３により、保持面２６に押し付ける作用が働くように支軸２７にトーションばねが捲装されており、また保持子２５は、逆三角形の上部頂点で軸支されているため回転モーメントを生じ、その荷重は保持面２６に加わる。包布類１１は、前方へ突出するガイド３４により挿入口３５へ誘導される。一対の展開クランプ２１、２２は図８に示すように対称に配置されるので、符号ダッシュを付して同一構成であることを示す。
【００１８】
なお、左右一対の導入クランプ装置１２、１２において、その最も低く下がった箇所が包布類１１を取り付ける導入位置、レール２０と交差する箇所が包布類１１の授受と後記投入のための投入位置になる。投入位置には、包布類１１の投入前に包布類の形態を修正するために上端部を固定する固定部が設けられる。
【００１９】
上記の固定部として、包布類１１の前側に位置する押さえ部材３６と、包布類１１の後側に位置する可動板３７とが設けられている（各図及び特に図９参照）。押さえ部材３６は、装置側支柱下部に固定されており、可動板３７は装置側に取り付けられていて、往復動部３８により前進後退可能に設けられている。装置側の支柱にはエアノズル３９が設けられ、包布類先端部（上部）にエアを噴射し、可動板３７への移行を容易にしている。
【００２０】
このように構成された包布類の投入装置１０を使用して、包布類投入作業を行う場合、包布類１１は横向きにして、その開口部１９が縦になるように取り扱う場合について説明する（図６（ｂ）及び１、図８参照）。包布類１１は封筒状又は袋状の１辺が開口部１９なった所謂全包布を示している。
【００２１】
以下手順を追って装置の作動を説明すると、図１は導入位置にある導入クランプ１３、１４に横向きにした包布類１１を上端かつ左右両端にて取り付けた状態を示す。この作業は、１対の導入クランプ１３、１４が左又は右にあって並んでいるため１名の作業者で簡単に行える。
【００２２】
導入クランプへの取り付け後に、操作盤にて所要の操作をすると、導入クランプ１３、１４は移行コンベア１５、１６により上方へ移動し（図２）、投入位置にて展開クランプ２１、２２の挿入口３５を包布類１１の上端部（先端部）が行き過ぎることにより、包布類１１が展開クランプ２１、２２に渡され、その後導入クランプ１３、１４は導入位置へ戻る。
【００２３】
次の操作により、１対の展開クランプ２１、２２は時間差を置いて装置の一側から他側方向へ向かって展開を開始する（図３）。このとき包布類１１は、図示していない制御装置により中心線に対して対称に展開される（図４）。一対の展開クランプ２１、２２は包布類１１の上端部（先端部）が一直線となるように張力を加え、ほぼ一直線となったときにセンサー４０がそれを検出し、停止する。
【００２４】
このとき、包布類１１の前側にやや離れて押さえ部材３６があり、それに対して後側にある可動板３７が前進を始め、前側の押さえ部材３６に可動板前縁４１を押し付ける。図４（ａ）、図９（ｂ）の状態である。可動板前縁４１は包布類上端部（先端部）をほぼ全幅に亘って押さえているので、この状態において、横向きになっている包布類１１を作業者が持って縦の開口部１９中に空気をいれるように捌く作業を行う。これによりひっついている表裏両面を剥がし、ずれをなくし、皺を取り除く作業を容易に行うことができる（図５）。
【００２５】
斯くして包布類１１を捌き修整作業を行う状態では、前進している可動板３７の上に、包布類１１の上端部がせり出しており、エアノズル３９からエアを噴出すると、当該包布類上端部を確実かつ容易に可動板３７に移し変えることができる（図９（ｂ）））。その状態で可動板３７を後退させるとともに、コンベア４２の上に包布類１１の上端部がかかったのち可動板３７を傾斜させて落とすことで、布類上端部（後退部）をコンベア上に移載できることになる。図６。コンベア４２はロールアイロナーなどに接続し、修正された包布類１１を次工程に搬送する。
【００２６】
開口部１９が下になるように包布類１１を下向きに導入クランプ１３、１４に取り付けた場合、作業者は包布類１１の下、中央に回って開口部１９の中に空気を入れるようにするので、作業性向上には限界があると考えられる。しかし、事後の投入時に、後向きとなる開口部１９から空気が自然に抜けやすいため、包布類１１の形態が不整になる恐れはなく高品質を期待できる。
【産業上の利用可能性】
【００２７】
本発明は、封筒状または袋状の包布類を、洗濯、乾燥後或る作業工程に投入するときに包布類の表面と裏面に生じている用意に取り除き得る異常を事前に修正するために利用可能である。
【図面の簡単な説明】
【００２８】
【図１】（ａ）本発明に係る包布類の投入装置の１例を示す側面図。（ｂ）同じく正面図。
【図２】（ａ）包布類を導入クランプにより移動する工程を示す側面図。（ｂ）同じく正面図。
【図３】（ａ）包布類を展開クランプに移し変えた工程を示す側面図。（ｂ）同じく正面図。
【図４】（ａ）包布類を中央に展開した工程を示す側面図。（ｂ）同じく正面図。
【図５】（ａ）包布類を捌き修正する工程を示す側面図。（ｂ）同じく正面図。
【図６】（ａ）修正済み包布類をコンベアに移載する工程を示す説明図。（ｂ）包布類の１例を示す正面図。
【図７】（ａ）展開クランプの１例を示す正面図。（ｂ）同じく一部破断側面図。
【図８】展開クランプの全体の正面図。
【図９】（ａ）包布類上端部を示す説明図。（ｂ）包布類上端部を固定した状態の説明図。
【符号の説明】
【００２９】
１０  包布類の投入装置
１１  包布類
１９  開口部
２０  レール
２１、２２  展開クランプ
３６  押さえ部材
３７  可動板
３８  往復動部
３９  エアノズル
４１  可動板前縁
４２  コンベア
【図１】
2005058414.tif 000003
【図２】
2005058414.tif 000004
【図３】
2005058414.tif 000005
【図４】
2005058414.tif 000006
【図５】
2005058414.tif 000007
【図６】
2005058414.tif 000008
【図７】
2005058414.tif 000009
【図８】
2005058414.tif 000010
【図９】
2005058414.tif 000011